(57)【特許請求の範囲】
【請求項１】
シートを処理する機械たとえば印刷機におけるシートの支持または案内装置であって、絞られた空気流でシートを負荷するための支持または案内面に幾つかの出口開口が設けられており、支持または案内面と、該支持または案内面から間隔を有するカバーとの間に少なくとも２つの層が配置されており、これらの層がそれぞれ幾つかの開口を備えている形式のものにおいて、
カバー（８）が、幾つかの入口開口（９）を介して送風空気源（７）と接続されており、１入口開口（９）と、該入口開口（９）に対応する１出口開口（４）との間に１絞り区間（１１）が形成されており、第１の層（１３）におけるそれぞれ１つの開口（１６）が、第２の層（１４）におけるそれぞれ２つの開口（１７，１７）と接続されており、第２の層（１４）におけるそれぞれ１つの開口（１７）が、第１の層（１３）におけるそれぞれ２つの開口（１６，１６）と接続されていることを特徴とする、シートを処理する機械たとえば印刷機におけるシートの支持または案内装置。
【請求項２】
第１の層（１３）と第２の層（１４）との間に別の層（２１）が配置されている、請求項１記載の支持または案内装置。
【請求項３】
別の層（２１）が、開口（２２）を備えており、これらの開口（２２）が、入口開口（９）と出口開口（４）との間の絞り区間（１１）の領域に配置されている、請求項２記載の支持または案内装置。
【請求項４】
支持または案内面（１２）と第１の層（１３）との間、およびカバー（８）と第２の層（１４）との間にそれぞれ中間層（２３，２４）が配置されている、請求項１記載の支持または案内装置。
【請求項５】
中間層（２３，２４）が、それぞれ開口（２６，２７）を備えており、これらの開口（２６，２７）が、絞り区間（１１）の領域に配置されている、請求項４記載の支持または案内装置。
【請求項６】
第１および第２の層（１３，１４）に対して追加的に、幾つかの層（３１，３２，３３，３４）が設けられている、請求項１記載の支持または案内装置。
【請求項７】
シートを処理する機械たとえば印刷機におけるシートの支持または案内装置であって、絞られた空気流でシートを負荷するための支持または案内面に幾つかの出口開口が設けられており、支持または案内面と、該支持または案内面から間隔を有するカバーとの間に少なくとも２つの層が配置されており、これらの層がそれぞれ幾つかの開口を備えている形式のものにおいて、
カバー（８）が、幾つかの入口開口（９）を介して送風空気源（７）と接続されており、１入口開口（９）と、該入口開口（９）に対応する１出口開口（４）との間に１絞り区間（１１）が形成されており、２つの層（１３，１４）の間に別の層（２８；３６）が配置されており、第１の層（１３）における開口（１６）が、第２の層（１４）における開口（１７）に対向して位置しており、第１の層（１３）における２つの開口（１６）の間に延びるウェブ（１８）が、第２の層（１４）における２つの開口（１７）の間に延びるウェブ（１９）に対向して位置していることを特徴とする、シートを処理する機械たとえば印刷機におけるシートの支持または案内装置。
【請求項８】
別の層（２８）が、第１および第２の層（１３，１４）よりも大きな厚さ（Ｄ）を有している、請求項７記載の支持または案内装置。
【請求項９】
別の層（２８）が、開口（２９）を備えており、これらの開口（２９）が、第１の層（１３）における２つの開口（１６）の間に延びるウェブ（１８）と、第２の層（１４）における２つの開口（１７）の間に延びるウェブ（１９）との領域に配置されている、請求項７または８記載の支持または案内装置。
【請求項１０】
別の層（３６）における開口（３７）が、第１の層（１３）および第２の層（１４）の開口（２１，２２）よりも小さな貫通開口を備えている、請求項７から９までのいずれか１項記載の支持または案内装置。
【発明の詳細な説明】
【０００１】
【発明の属する技術分野】
本発明は、シートを処理する機械特に印刷機におけるシートの支持または案内装置であって、絞られた空気流でシートを負荷するための支持または案内面に幾つかの出口開口が設けられており、支持または案内面と、該支持または案内面から間隔を有するカバーとの間に少なくとも２つの層が配置されており、これらの層がそれぞれ幾つかの開口を備えている形式のものに関する。
【０００２】
【従来の技術】
印刷機においてシートを非接触式に搬送するために空気力式に負荷可能な案内エレメントを設けることが公知であり、この案内エレメントは、シートと案内エレメントとの間にエアクッションを形成し、このエアクッションは、シートが案内エレメントと接触するのを回避する。
【０００３】
印刷機の内部には、このような形式の空気力式に負荷可能な案内装置にとって多くの使用範囲が存在し、たとえば給紙装置または排紙装置におけるシートまたはパイルのための支持ロッド、フロントグリッパ上面、分離シュー、胴の楔形領域における案内エレメント、つや出しおよび巻取装置装置、反転装置の胴の周またはシート搬送胴の周における案内エレメントなどである。
【０００４】
国際公開０１／１４７５２号パンフレットから、対象物を支持するために絞られた送風空気を形成することが公知であり、送風空気出口と送風空気入口との間に絞り区間が配置されていて、出口面とカバー面との間の段階に、送風空気のための通路が形成されており、通路外壁にリブが配置されており、これらのリブは送風空気の渦流を形成する。
【０００５】
しかしながらこのような絞り区間は、製作に大きなコストがかかり、したがってコスト／使用関係で経済的に不都合なものである。
【０００６】
ドイツ連邦共和国特許第４４０６７３９号明細書によって、扁平な本体を保持するために絞られた吸込空気を形成することが公知である。この場合扁平な本体に向いた載設面と、この載設面から間隔を有して配置された絞り面との間に、吸込空気のための絞り区間が形成され、互いに上下に配置された、貫通孔の設けられた中間層が配置されている。この場合１つの中間層における複数の小さな貫通孔が、別の中間層におけるそれぞれ１つの大きな貫通孔と重なり合っている。このような配置構成では、複数の入口開口が、同時に複数の出口開口と接続されている。
【０００７】
【特許文献１】
国際公開０１／１４７５２号パンフレット
【特許文献２】
ドイツ連邦共和国特許第４４０６７３９号明細書
【０００８】
【発明が解決しようとする課題】
したがって本発明の課題は、冒頭で述べたような形式の、シートを処理する機械におけるシートの支持または案内装置を改良して、絞られた送風空気が供給されるようなものを提供することである。
【０００９】
【課題を解決するための手段】
この課題を解決するための本発明の装置によれば、カバーが、幾つかの入口開口を介して送風空気源と接続されており、１入口開口と、該入口開口に対応する１出口開口との間に１絞り区間が形成されており、第１の層におけるそれぞれ１つの開口が、第２の層におけるそれぞれ２つの開口と接続されており、第２の層におけるそれぞれ１つの開口が、第１の層におけるそれぞれ２つの開口と接続されている。
【００１０】
この課題を解決するための本発明の別の装置によれば、カバーが、幾つかの入口開口を介して送風空気源と接続されており、１入口開口と、該入口開口に対応する１出口開口との間に１絞り区間が形成されており、２つの層の間に別の層が配置されており、第１の層における開口が、第２の層における開口に対向して位置しており、第１の層における２つの開口の間に延びるウェブが、第２の層における２つの開口の間に延びるウェブに対向して位置している。
【００１１】
【発明の効果】
本発明の利点は、支持または案内装置の低い構造高さであり、ならびに経済的な生産性である。すなわち絞り区間は、（金属）薄板によって簡単な形式で形成することができ、薄板は、幾つかの貫通孔または開口を備えており、この場合このような貫通孔または開口は、簡単な打ち抜きによって安価に製作可能である。
【００１２】
別の利点は、従属請求項に記載されている。たとえば複数の層の配置構成によって送風空気のための様々な経路を絞り区間の内側に設けることが有利である。
【００１３】
【発明の実施の形態】
次に図面につき本発明の実施例を詳しく説明する。
【００１４】
シートを処理する機械、たとえば印刷機では、空気力式に負荷可能な支持または案内装置１が設けられており、この支持または案内装置１は、適当な送風開口または出口開口４によって、エアクッション２がシート３と支持または案内装置１との間に形成されるように作用する。圧力タンクは、圧力室６として形成されていて、かつ圧縮空気源７と接続されている。圧力室６は、カバー８を備えており、このカバー８は幾つかの入口開口９を備えている。各入口開口９は、独自の絞り区間１１を介して、載設面もしくは支持または案内面としての支持または案内エレメント１２の各出口開口４と接続されている。
【００１５】
図１による第１実施例では、絞り区間１１は、２つの層１３，１４によって形成されている。各層１３，１４は、相前後して配置されかつほぼ同じ大きさの幾つかの貫通孔または開口１６，１７を備えており、これらの開口１６，１７は、次のように互いに上下に配置されていて、すなわち２つの開口１６の間の各ウェブ１８が開口１７に対向するように配置されており、この場合層１４の２つの開口１７の間の各ウェブ１９は、層１３の開口１６に対向するように配置されている。ここでは空気流は、入口開口９を通って、層１４の開口１７の領域に進入し、そこからさらに層１３の開口１６に進入し、次いで再び層１４の別の開口１７に進入する。この場合それぞれ２つのウェブ１８−１８；１９−１９の間の開口１６，１７には空気渦流が形成され、この空気渦流は、絞り区間１１において流れ抵抗を形成し、したがって出口開口４における流出空気体積流量を制限する。このような構成手段によって、特にシートによって覆われていない開口の状態では、過度に多くの圧縮空気が出口開口４から流出し得ないようになり、これによって圧縮室における圧力の損失が回避される。
【００１６】
図２による第２実施例では、層１３，１４の間に間隔層２１が配置されており、それも絞り区間１１が、絞り区間１１の領域に位置する開口２２を備えるように配置されている。このような構成手段によって、主要通路が形成され、この主要通路は、妨害されない自由な空気流部分を保証している。
【００１７】
図３による第３実施例では、２つの間隔層２３，２４が設けられており、間隔層２３は、支持または案内エレメント１２と層１３との間に配置されており、第２の間隔層２４は、層１４とカバー８との間に配置されている。ここでは間隔層２３における開口２６と、間隔層２４における開口２７とは、それぞれ絞り区間１１の領域に位置している。このような構成手段によって、層１３と層１４とを通る経路に存在する空気流のために、層１３と支持または案内エレメント１２との間、および層１４とカバー８との間の別の２つの経路が提供される。
【００１８】
図４による第４実施例では、層１３と層１４との間に、開口２９を備えた第３の層２８が設けられており、この層２８は、実質的に層１３，１４に相応するものであり、この場合層２８の厚さＤは、層１３，１４の厚さよりも大きくすることができる。
【００１９】
図５による第５実施例では、たとえば６つの層である幾つかの層１３，１４，３１〜３４が設けられており、これらの層３１〜３４は、層１３，１４に相応して形成されている。このような構成手段によって、入口開口９と出口開口４との間に多数の空気渦流が形成される。
【００２０】
図６による第６実施例は、第３実施例を改良したものであり、追加的に層１３と層１４との間に、幾つかの開口３７を備えた層３６が設けられており、開口３７の数は層１３，１４における開口２１，２２の数に相当するものであり、開口３７は、開口２１，２２よりも小さな通流幅を有している。この実施例では、開口２１，２２は整合して配置されている。
【図面の簡単な説明】
【図１】絞り区間を備えた支持または案内装置を概略的に示す断面図である。
【図１ａ】図１による絞り区間の上位の層を上から見た断面図である。
【図２】第２実施例を示す図である。
【図３】第３実施例を示す図である。
【図４】第４実施例を示す図である。
【図５】第５実施例を示す図である。
【図６】第６実施例を示す図である。
【符号の説明】
１  支持または案内装置、  ２  エアクッション、  ３  シート、  ４  送風または出口開口、  ６  圧力室、  ７  圧縮空気源、  ８  カバー、  ９  入口開口、  １１  絞り区間、  １２  支持または案内エレメント、  １３，１４  層、  １６，１７  貫通孔または開口、  １８，１９  ウェブ、  ２１  間隔層、  ２２  開口、  ２４  間隔層、  ２６，２７  開口、  ２８  層、  ２９  開口、  ３１，３２，３３，３４  層、  ３６  層、  ３７  開口、  Ｄ  厚さ
【図１】
0004113022.tif 000002
【図１ａ】
0004113022.tif 000003
【図２】
0004113022.tif 000004
【図３】
0004113022.tif 000005
【図４】
0004113022.tif 000006
【図５】
0004113022.tif 000007
【図６】
0004113022.tif 000008